(57)【要約】【課題】コンパクトに収納することができる。【解決手段】鉄粉を混入した可撓幕２と、可撓幕２の上端縁１に沿って設けられた上辺材３と、可撓幕２の下端縁４に沿って設けられた下辺材５と、上辺材３に付設の吊り部材６とを有する。さらに、可撓幕２の裏面における左側端縁・右側端縁に沿って展開使用状態の剛性を保つための帯板材を着脱自在に付着し、不使用状態では帯板材を離脱して可撓幕２が巻設可能とされている。透明のカバーフィルム７を可撓幕２の表て面側に設ける。カバーフィルム７の上端縁９が可撓幕２又は上辺材３に取着されて、カバーフィルム７と可撓幕２との間に写真・メッセージボード・ハガキ等の装飾体Ｓを挾持するようにされている。【選択図】図１
0003124718.tif 000002
【実用新案登録請求の範囲】
【請求項１】
鉄粉を混入した可撓幕（２）と、該可撓幕（２）の上端縁（１）に沿って設けられた上辺材（３）と、該可撓幕（２）の下端縁（４）に沿って設けられた下辺材（５）と、上記上辺材（３）に付設の吊り部材（６）とを有し、さらに、上記可撓幕（２）の裏面（11）における左側端縁（12）・右側端縁（13）に沿って展開使用状態の剛性を保つための帯板材（10）を着脱自在に付着し、不使用状態では上記帯板材（10）を離脱して上記可撓幕（２）を巻設可能としたことを特徴とする吊下保持具。
【請求項２】
透明のカバーフィルム（７）を可撓幕（２）の表て面（８）側に設け、該カバーフィルム（７）の上端縁（９）が上記可撓幕（２）又は上記上辺材（３）に取着されて、カバーフィルム（７）と可撓幕（２）との間に写真・メッセージボード・ハガキ等の装飾体（Ｓ）を挾持するようにした請求項１記載の吊下保持具。
【請求項３】
上記透明のカバーフィルム（７）が蓄光フィルムから成る請求項２記載の吊下保持具。
【請求項４】
上記透明のカバーフィルム（７）が、表面にマーカーにて書き消し自在なフィルムから成る請求項２記載の吊下保持具。
【請求項５】
上記上辺材（３）と下辺材（５）、及び、帯板材（10）の厚さ寸法（t3）（t5）（t10 ）を略同等として、側面視にて、吊下使用状態での全体の重心（Ｇ）を上記可撓幕（２）の肉厚内に位置させた請求項１又は２記載の吊下保持具。
【請求項６】
可撓幕（２）の裏面（11）に、フェルト布（14）を積層一体化し、かつ、該フェルト布（14）の裏面（15）には、撓み防止用突出子（16）を複数個突設し、かつ、上記突出子（16）の頂上面部（17）と、上記帯板材（10）の裏面（18）とを、同一面（19）上となるように上記突出子（16）の高さ寸法（ｈ）を設定した請求項１，２，３，４又は５記載の吊下保持具。
【請求項７】
帯板材（10）を、上記可撓幕（２）に対し、マグネット可撓帯材（26）又は再剥離性粘着帯材（20）を介して、着脱自在に付着した請求項１，２，３，４，５又は６記載の吊下保持具。
【請求項８】
裏面（21）の左右側端縁（22）（23）の一対の上記帯板材（10）の間に凹所（24）を形成して、該凹所（24）内に、吊り部材（６）の結び目（25）を配設した請求項１，２，３，４，５，６又は７記載の吊下保持具。
【考案の詳細な説明】
【技術分野】
【０００１】
本考案は、吊下保持具に関する。
【背景技術】
【０００２】
従来、写真・メッセージボード・ハガキ等の装飾体を壁面に飾るには、額縁に入れて飾っていた（例えば、特許文献１参照）。
【０００３】
しかし、装飾体を出し入れする際に手間がかかっていた。また、収納する際に大きなスペースを必要とするという欠点があった。
【特許文献１】特開２００４−３１３４０６号公報
【考案の開示】
【考案が解決しようとする課題】
【０００４】
解決しようとする課題は、装飾体を出し入れする際に手間がかかる点である。また、収納する際に大きなスペースを必要とする点である。
【課題を解決するための手段】
【０００５】
そこで、本考案に係る吊下保持具は、鉄粉を混入した可撓幕と、該可撓幕の上端縁に沿って設けられた上辺材と、該可撓幕の下端縁に沿って設けられた下辺材と、上記上辺材に付設の吊り部材とを有し、さらに、上記可撓幕の裏面における左側端縁・右側端縁に沿って展開使用状態の剛性を保つための帯板材を着脱自在に付着し、不使用状態では上記帯板材を離脱して上記可撓幕を巻設可能としたものである。
【０００６】
また、透明のカバーフィルムを可撓幕の表て面側に設け、該カバーフィルムの上端縁が上記可撓幕又は上記上辺材に取着されて、カバーフィルムと可撓幕との間に写真・メッセージボード・ハガキ等の装飾体を挾持するようにしたものである。
また、上記透明のカバーフィルムが蓄光フィルムから成るものである。
また、上記透明のカバーフィルムが、表面にマーカーにて書き消し自在なフィルムから成るものである。
また、上記上辺材と下辺材、及び、帯板材の厚さ寸法を略同等として、側面視にて、吊下使用状態での全体の重心を上記可撓幕の肉厚内に位置させたものである。
【０００７】
また、可撓幕の裏面に、フェルト布を積層一体化し、かつ、該フェルト布の裏面には、撓み防止用突出子を複数個突設し、かつ、上記突出子の頂上面部と、上記帯板材の裏面とを、同一面上となるように上記突出子の高さ寸法を設定したものである。
また、帯板材を、上記可撓幕に対し、マグネット可撓帯材又は再剥離性粘着帯材を介して、着脱自在に付着したものである。
また、裏面の左右側端縁の一対の上記帯板材の間に凹所を形成して、該凹所内に、吊り部材の結び目を配設したものである。
【考案の効果】
【０００８】
本考案の吊下保持具によれば、装飾体を容易に出し入れすることができる。また、コンパクトに収納することができる。
【考案を実施するための最良の形態】
【０００９】
図１は、本考案の第１の実施の形態の使用状態（展開使用状態、吊下使用状態）を示す。図２は、図１のＡ−Ａ断面図を示す。このように、吊下保持具は、壁面Ｗに吊下げられつつ、写真・メッセージボード・ハガキ・光るシート（ＥＬシート）等の装飾体Ｓを保持する。本考案の吊下保持具は、主に、いわゆるインテリアボードとして用いられる。図３・図４は、巻設収納状態を示す。すなわち、コンパクトに収納することができ、持ち運びにも便利である。（Ｊはゴムバンドを示す。）
【００１０】
具体的には、鉄粉（図示省略）を混入した可撓幕２と、可撓幕２の上端縁１に沿って設けられた上辺材３と、可撓幕２の下端縁４に沿って設けられた下辺材５と、上辺材３に付設の吊り部材６とを有する。可撓幕２は、合成樹脂製又はゴム製である。上辺材３及び下辺材５は、例えば、合成樹脂製、木製、金属製等である。吊り部材６は、例えば、紐、チェーン、ワイヤー等から成る。
【００１１】
透明のカバーフィルム７が可撓幕２の表て面８側に設けられている。カバーフィルム７は、例えば、合成樹脂製である。あるいは、透明のカバーフィルム７を、例えば、蓄光フィルムとすると、一層好ましい。透明のカバーフィルム７が、表面に（ホワイトボード用の）マーカーにて書き消し自在なフィルムから成るも好ましい。表面にマーカーにて書き消し自在なフィルムとしては、例えば、（表面処理加工のコーティングにより）フッ化フッ素フィルムを積層したポリエステル系フィルムが挙げられる。
【００１２】
カバーフィルム７の上端縁９が可撓幕２又は上辺材３に取着されて、カバーフィルム７と可撓幕２との間に写真・メッセージボード・ハガキ・光るシート等の装飾体Ｓを挾持するようにされている。図１・図２では、装飾体Ｓが、カバーフィルム７と可撓幕２との間に静電気にて挾持されている場合を示した。この他に、装飾体Ｓを磁石（図示省略）にて挾持させても良い。なお、本考案に於て、「可撓幕又は上辺材に取着されて」とは、「可撓幕と上辺材のうち少なくとも一方に取着されて」の意味であるとする。
【００１３】
図５・図６（図５のＢ−Ｂ断面図）に示すように、可撓幕２の裏面11における左側端縁12・右側端縁13に沿って展開使用状態の剛性を保つための帯板材10が着脱自在に付着されている。すなわち、不使用状態では帯板材10を離脱して可撓幕２が巻設可能とされている。
【００１４】
図２・図５・図６に示すように、可撓幕２の裏面11に、フェルト布14が積層一体化されている。フェルト布14の裏面15には、撓み防止用突出子16が複数個（図例では３個）突設されている。突出子16は、例えばフェルト片から成り、フェルト布14に接着されている。突出子16の頂上面部17と、帯板材10の裏面18とを、図６に２点鎖線で示す同一面19上となるように突出子16の高さ寸法ｈが設定されている。
【００１５】
図７（図５のＣ−Ｃ断面図）に示すように、帯板材10が、可撓幕２に対し、再剥離性粘着帯材20を介して、（かつフェルト布14を介して、）着脱自在に付着されている。
【００１６】
図８に示すように、上辺材３と下辺材５、及び、帯板材10の厚さ寸法ｔ3 ，ｔ5 ，ｔ10が略同等とされて、側面視にて、吊下使用状態での全体の重心Ｇが可撓幕２の肉厚内に位置している。なお、本考案に於て、「全体の重心」とは、吊り部材６を除いたものの重心のことをいうものとする。
【００１７】
図９に示すように、裏面21の左右側端縁22，23の一対の上記帯板材10の間に、浅い凹所24が形成されている。凹所24内に、吊り部材６の結び目25が配設されている。
【００１８】
図10は、第２の実施の形態を示す。帯板材10が、可撓幕２に対し、マグネット可撓帯材26を介して、着脱自在に付着されている。（27は接着層を示す。）その他の構成は、第１の実施の形態と同様である。
【００１９】
なお、本考案は、設計変更可能であって、例えば、全体の重心Ｇが可撓幕２の肉厚内に位置しないようなものであっても良い。また、第１の実施の形態のフェルト布14の一部又は全部を省略したものとするも良い。また、突出子16の個数や配設位置は、自由に設定して良い。例えば、４個の突出子16を矩形角部位置に配設したり、突出子16を省略するも良い。また、帯板材10を可撓幕２に対して機械的に着脱自在に固着させるも良い。また、吊り部材６の結び目25を、凹所24以外の場所に配設するも良い。
【００２０】
以上のように、本考案は、鉄粉を混入した可撓幕２と、可撓幕２の上端縁１に沿って設けられた上辺材３と、可撓幕２の下端縁４に沿って設けられた下辺材５と、上辺材３に付設の吊り部材６とを有し、さらに、可撓幕２の裏面11における左側端縁12・右側端縁13に沿って展開使用状態の剛性を保つための帯板材10を着脱自在に付着し、不使用状態では帯板材10を離脱して可撓幕２を巻設可能としたので、図11に示すように両側縁50がめくれるような変形を、本考案では裏面21の帯板材10によって補強して、防止することができる。不使用時に巻設収納状態として、コンパクトに収納することができる。磁石を付着させることができる。特に、装飾体Ｓを磁石によって可撓幕２に対して容易に保持・着脱することができる。
【００２１】
また、透明のカバーフィルム７を可撓幕２の表て面８側に設け、カバーフィルム７の上端縁１が可撓幕２又は上辺材３に取着されて、カバーフィルム７と可撓幕２との間に写真・メッセージボード・ハガキ・光るシート（ＥＬシート）等の装飾体Ｓを挾持するようにしたので、装飾体Ｓを容易に出し入れすることができる。
また、透明のカバーフィルム７が蓄光フィルムから成るので、暗いところで光り、暗い部屋の中でも鑑賞することができる。
また、透明のカバーフィルム７が、表面にマーカーにて書き消し自在なフィルムから成るので、透明のカバーフィルム７に文字や記号等を書いたり消したりすることができ、至便である。
また、上辺材３と下辺材５、及び、帯板材10の厚さ寸法t3，t5，t10 を略同等として、側面視にて、吊下使用状態での全体の重心Ｇを可撓幕２の肉厚内に位置させたので、吊下使用状態に於て、壁面Ｗに対して自然に鉛直状を保持することができる。
【００２２】
また、可撓幕２の裏面11に、フェルト布14を積層一体化し、かつ、フェルト布14の裏面15には、撓み防止用突出子16を複数個突設し、かつ、突出子16の頂上面部17と、帯板材10の裏面18とを、同一面19上となるように突出子16の高さ寸法ｈを設定したので、図12に示すように、重い物Ｅを付着させた場合に、その近傍（例えば、２点鎖線で示した範囲Ｘ）にたわみやへこみが生ずることを防止することができる。
また、帯板材10を、可撓幕２に対し、マグネット可撓帯材26又は再剥離性粘着帯材20を介して、着脱自在に付着したので、マグネット力（マグネットによる吸引力）又は粘着力にて、帯板材10を可撓幕２に対して容易に着脱させることができる。
裏面21の左右側端縁22，23の一対の帯板材10の間に凹所24を形成して、凹所24内に、吊り部材６の結び目25を配設したので、吊下使用状態で結び目25が邪魔になることを防止することができる。すなわち、全体の鉛直状態が安定する（壁面Ｗにぴったりとくっつく）。さらに、結び目25が隠れるので、外観が良い。
【図面の簡単な説明】
【００２３】
【図１】第１の実施の形態の使用状態を示す正面図である。
【図２】図１のＡ−Ａ断面図である。
【図３】巻設収納状態を示す側面図である。
【図４】斜視図である。
【図５】背面図である。
【図６】図５のＢ−Ｂ断面図である。
【図７】図５のＣ−Ｃ断面図である。
【図８】断面側面図である。
【図９】平面図である。
【図１０】第２の実施の形態を示す断面側面図である。
【図１１】参考図である。
【図１２】参考図である。
【符号の説明】
【００２４】
１  上端縁
２  可撓幕
３  上辺材
４  下端縁
５  下辺材
６  吊り部材
７  カバーフィルム
８  表て面
９  上端縁
10  帯板材
11  裏面
12  左側端縁
13  右側端縁
14  フェルト布
15  裏面
16  （撓み防止用）突出子
17  頂上面部
18  裏面
19  同一面
20  再剥離性粘着帯材
21  裏面
22  左側端縁
23  右側端縁
24  凹所
25  結び目
26  マグネット可撓帯材
Ｇ  全体の重心
ｈ  高さ寸法
Ｓ  装飾体
ｔ3   厚さ寸法
ｔ5   厚さ寸法
ｔ10  厚さ寸法
【図１】
0003124718.tif 000003
【図２】
0003124718.tif 000004
【図３】
0003124718.tif 000005
【図４】
0003124718.tif 000006
【図５】
0003124718.tif 000007
【図６】
0003124718.tif 000008
【図７】
0003124718.tif 000009
【図８】
0003124718.tif 000010
【図９】
0003124718.tif 000011
【図１０】
0003124718.tif 000012
【図１１】
0003124718.tif 000013
【図１２】
0003124718.tif 000014